(57)【要約】【課題】物性値書込工程を通過したことを履歴として残すためだけに必要なメモリを備えなくても、物性値書込工程が行われたか否かの判定が行えるようにする。【解決手段】物性値書込工程が的確に行われているか否かを判定するために、物性値書込工程前に異常値書込工程物を行うことにより物性値として異常値を書き込んでおき、物性値書込工程によってその異常値が正常値に書き換えられるようにする。これにより、物性値が正常値であるか否かを判定することで、物性値書込工程が的確に行われたか否かを判定することが可能となる。そして、このような物性値書込工程を行ったことの履歴を、書き込まれた物性値そのものを調べることにより確認できるため、物性値書込工程を通過したことを履歴として残すためだけに必要なメモリを備えなくても、物性値書込工程が行われたか否かの判定を行うことが可能となる。【選択図】図１
2009258945.tif 000002
【特許請求の範囲】
【請求項１】
メモリ（１ａ）を備えた電子機器（１）の前記メモリ（１ａ）に対して物性値を書き込む物性値書込工程と、
前記物性値書込工程が行われたか否かを判定する検査工程と、を含む電子機器の製造方法において、
前記メモリ（１ａ）への前記物性値書込工程の前に、前記メモリ（１ａ）のうちの前記物性値の書き込み領域に、前記物性値の異常値を書き込んでおく異常値書込工程を行い、
前記物性値書込工程では、前記異常値書込工程にて書き込まれた前記物性値の異常値を正常値に書き換え、
前記検査工程では、前記物性値が正常値であるか否かにより、前記物性値書込工程が行われたか否かを判定することを特徴とする電子機器の製造方法。
【請求項２】
前記異常値書込工程では、前記物性値の異常値として、前記物性値の取り得る数値範囲外の値を書き込むことを特徴とする請求項１に記載の電子機器の製造方法。
【請求項３】
前記異常値書込工程では、前記物性値の異常値として、複数の異なる形態で書き込まれる同じ物性値のいずれかを異なる値で書き込むことを特徴とする請求項１に記載の電子機器の製造方法。
【請求項４】
前記検査工程では、前記複数の異なる形態で書き込まれる同じ物性値が整合しているか否かにより、前記物性値書込工程が行われたか否かを判定することを特徴とする請求項３に記載の電子機器の製造方法。
【発明の詳細な説明】
【技術分野】
【０００１】
本発明は、電子機器に備えられたメモリ内に制御等に用いられる物性値書込工程が行われる電子機器の製造方法に関するものである。
【背景技術】
【０００２】
従来より、電子機器を製造する際に良品を製造するためには、製造工程中の各工程を的確に経て電子機器が製造されていることが必要である。このため、電子機器が製造工程中の各工程を経ているか否かの判定が電子機器の良不良判定の１つとして行われる。このような電子機器が製造工程中の各工程を経ているか否かの判定を行う手法として、例えば、特許文献１に開示されているように、電子機器に備えられたメモリ内に通過した各工程を履歴として残しておき、その履歴を確認することにより、各工程を経て電子機器が製造されているか否かを判定するという手法がある。
【特許文献１】特許第２９５８０２４号公報
【発明の開示】
【発明が解決しようとする課題】
【０００３】
ブレーキ制御を行うためのブレーキ制御用の電子制御装置（以下、ブレーキＥＣＵという）等のような電子機器においては、製品製造段階において電子機器に備えられたメモリ内に物性値の書き込みを行う物性値書込工程を行うことで、制御時にその物性値を用いた各種制御が行えるようにしている。この物性値は、車種や制御形態などに応じて様々であるため、車種や制御形態に応じた物性値書込工程を経ることにより、メモリ内に書き込まれる。この物性値書込工程を経ていないと、所望の制御が行えなくなるため、物性値書込工程を経ているか否かの判別は重要である。
【０００４】
しかしながら、上記のように電子機器が通過した各工程の履歴を残す手法では、その履歴を残すためだけに必要なメモリを確保しなければならない。このようなメモリは、電子機器が出荷後に使用されるデータが記憶されるメモリとは別に備えられることになるため、メモリ領域増大や部品点数の増加等の原因となる。
【０００５】
本発明は上記点に鑑みて、物性値書込工程を通過したことを履歴として残すためだけに必要なメモリを備えなくても、物性値書込工程が行われたか否かの判定が行える電子機器の製造方法を提供することを目的とする。
【課題を解決するための手段】
【０００６】
上記目的を達成するため、請求項１に記載の発明では、メモリ（１ａ）を備えた電子機器（１）のメモリ（１ａ）に対して物性値を書き込む物性値書込工程と、物性値書込工程が行われたか否かを判定する検査工程と、を含む電子機器の製造方法において、メモリ（１ａ）への物性値書込工程の前に、メモリ（１ａ）のうちの物性値の書き込み領域に、物性値の異常値を書き込んでおく異常値書込工程を行い、物性値書込工程では、異常値書込工程にて書き込まれた物性値の異常値を正常値に書き換え、検査工程では、物性値が正常値であるか否かにより、物性値書込工程が行われたか否かを判定することを特徴とする。
【０００７】
このような製造方法では、物性値書込工程が的確に行われているか否かを判定するために、物性値書込工程前に異常値書込工程物を行うことにより物性値として異常値を書き込んでおき、物性値書込工程によってその異常値が正常値に書き換えられるようにしている。これにより、物性値が正常値であるか否かを判定することで、物性値書込工程が的確に行われたか否かを判定することが可能となる。そして、このような物性値書込工程を行ったことの履歴を、書き込まれた物性値そのものを調べることにより確認できるため、物性値書込工程を通過したことを履歴として残すためだけに必要なメモリを備えなくても、物性値書込工程が行われたか否かの判定を行うことが可能となる。
【０００８】
例えば、請求項２に記載したように、異常値書込工程では、物性値の異常値として、物性値の取り得る数値範囲外の値を書き込むことができる。また、請求項３に記載したように、異常値書込工程では、物性値の異常値として、複数の異なる形態で書き込まれる同じ物性値のいずれかを異なる値で書き込むようにしても良い。この場合、請求項４に記載したように、検査工程では、複数の異なる形態で書き込まれる同じ物性値が整合しているか否かにより、物性値書込工程が行われたか否かを判定することができる。
【０００９】
なお、上記各手段の括弧内の符号は、後述する実施形態に記載の具体的手段との対応関係を示すものである。
【発明を実施するための最良の形態】
【００１０】
以下、本発明の実施形態について図に基づいて説明する。
【００１１】
（第１実施形態）
図１は、本発明の一実施形態にかかる電子機器１の製造方法の一工程である物性値書込工程と当該物性値書込工程を経ているか否かの判別を行う検査工程の様子を示した模式図である。以下、この図を参照して電子機器１の製造方法について説明する。なお、電子機器１の製造方法のうち、物性値書込工程および検査工程以外の工程に関しては、従来と同様であるため、これらの工程についてのみ説明する。
【００１２】
各種製造工程を経た電子機器１に対して物性値書込工程を行うことになるが、この物性値書込工程の前段階として、異常値書込工程を行う。例えば、図１に示すように異常値書込装置２に電子機器１を接続することで、メモリ１ａのうち後工程で行われる物性値の書き込み領域に物性値の初期値として異常値を書き込んでおく。異常値書込工程は、どの段階で行われても良いが、メモリ１ａの製造時等に行っておけば異常値の書き込みのためだけの工程を無くすことができる。
【００１３】
例えば、物性値として想定される許容範囲内の値があるため、その許容範囲外の値を書き込んでおいたり、物性値として不整合な値となるような値を書き込んでおく。ここで、物性値として想定される許容範囲とは、物性値として取り得る数値範囲のことを意味しており、許容範囲外とは物性値として取り得る数値範囲外の値ことを意味している。また、物性値として不整合な値とは、同じ物性値を複数の異なる形態で書き込まれるような場合に、書き込まれた各物性値が一致していない値のことを意味している。例えば、同じ物性値を３つの異なる形態で書き込んでおき、各形態で書き込まれた３つの物性値が同じであるか否かを照合する三面整合において整合していないような場合の値が該当する。
【００１４】
したがって、物性値として想定される許容範囲外の値を書き込む場合には、物性値として取り得る数値範囲外の値を書き込み、物性値の不整合な値を書き込む場合には、各物性値のうちの少なくとも１つが異なった物性値となるように書き込むようにしておく。
【００１５】
なお、物性値には様々な値があるが、物性値書込工程が行われているか否かの判別を行うだけであれば、そのうちの少なくとも１つに対して異常値を書き込むようにすれば良い。また、物性値のすべてが的確に書き込まれているか否かの判別が行えるようにしたい場合、書き込みを行うすべての物性値について異常値を書き込むこともできる。
【００１６】
続いて、図１に示すように、物性値書込工程を行うための物性値書込装置３に電子機器１を接続し、各種物性値の書き込みを行う。例えば、電子機器１がブレーキＥＣＵである場合、ホイールシリンダに加えられるブレーキ液圧を制御するために、ブレーキアクチュエータ内に備えられた各種制御弁やポンプを駆動するためのモータに対して流す電流の制御用の物性値が記憶させられる。具体的には、各ホイールシリンダと対応してマスタシリンダからホイールシリンダに繋がる管路中に備えられる増圧制御弁などの制御弁の上下流間の差圧をソレノイドに流す電流値に合せて制御するようなリニア制御を行う場合に、ブレーキＥＣＵ内のＣＰＵのバラツキなどによって出力される電流値が異なることがあるため、そのバラツキを補正するための補正係数を物性値を記憶する。
【００１７】
これにより、物性値書込工程に先立って異常値書込工程にて物性値の異常値が書き込まれているため、物性値書込工程が行われれば、異常値が正常値に書き換えられることになる。
【００１８】
その後、必要に応じて物性値書込工程後に行う各種工程を行ったのち、物性値書込工程を経ているか否かの判別を行う検査工程を実施する。具体的には、図１に示すように、検査用のマイクロコンピュータ４に対して物性値書込工程を終えた後の電子機器１を接続する。そして、マイクロコンピュータ４が予め記憶しておいたプログラムに従って物性値確認による検査工程を実行する。
【００１９】
図２は、マイクロコンピュータ４にて実行される検査工程の詳細を示したフローチャートである。本処理は、マイクロコンピュータ４が起動されている際に所定の制御周期毎に繰り返し実行される。
【００２０】
まず、ステップ１００では、マイクロコンピュータ４に対して電子機器１が接続されたか否かの判定を行う。これにより接続が確認されると、ステップ１１０以降の各処理に進み、接続が確認されるまでは繰り返し本処理を行う。
【００２１】
続くステップ１１０では、接続された電子機器１から物性値の読み込みを行う。このときの読み込みは、少なくとも物性値書込工程の前段階として異常値が書き込まれていた領域の物性値に対して行われる。すなわち、物性値のすべてに対して異常値が書き込まれているのであれば、そのすべてを読込み、物性値のうちの一部に対して異常値が書き込まれているのであれば、その一部を読込めば良い。
【００２２】
その後、ステップ１２０に進み、ステップ１１０で読み込んだ物性値が正常値であるか否か判定する。ここで、読込んだ物性値が想定される許容範囲（物性値として取り得る数値範囲）内の値であった場合、もしくは、複数の形態で書き込まれた物性値が同じ値で整合している場合には肯定判定される。逆に、読込んだ物性値が想定される許容範囲（物性値として取り得る数値範囲）外の値であった場合、もしくは、同じ値が複数の形態で書き込まれているはずの物性値が不整合な値であった場合に否定判定される。そして、ここで肯定判定された場合には、物性値の書き込み肯定が的確に行われているためそのまま処理を終了し、否定判定された場合には、物性値の書き込み肯定が的確に行われていないためステップ１３０に進み、警告処理を行う。例えば、マイクロコンピュータ４の表示画面に物性値書込工程が飛ばされていることを表示したり、マイクロコンピュータ４から警告ランプ５に対して指令信号を送り例えば警告ランプ５を点滅させる。これにより、検査対象とされた電子機器１は、物性値書込工程が飛ばされたものであるということを検査人に知らせることが可能となる。
【００２３】
このようにして、電子機器１の良不良判定が行われ、良品に関しては各製造工程すべてが完了したものとして商品出荷を行い、不良品に関しては、例えば再び物性値書込工程に戻すなどの処理を行う。
【００２４】
以上説明したように、本実施形態に示した電子機器１の製造方法では、物性値書込工程が的確に行われているか否かを判定するために、物性値書込工程前に異常値書込工程物を行うことにより物性値として異常値を書き込んでおき、物性値書込工程によってその異常値が正常値に書き換えられるようにしている。これにより、物性値が正常値であるか否かを判定することで、物性値書込工程が的確に行われたか否かを判定することが可能となる。そして、このような物性値書込工程を行ったことの履歴を、書き込まれた物性値そのものを調べることにより確認できるため、物性値書込工程を通過したことを履歴として残すためだけに必要なメモリを備えなくても、物性値書込工程が行われたか否かの判定を行うことが可能となる。
【００２５】
（他の実施形態）
上記実施形態では、電子機器１の一例として、ブレーキＥＣＵを例に挙げて説明したが、その他の電子機器１についても本発明を適用できる。また、物性値の一例として、増圧制御弁などの制御弁の上下流間の差圧をソレノイドに流す電流値に合せて制御するようなリニア制御を行う場合におけるブレーキＥＣＵ内のＣＰＵのバラツキを補正するための補正係数を例に挙げたが、勿論、他の物性値であっても構わない。
【図面の簡単な説明】
【００２６】
【図１】本発明の第１実施形態にかかる電子機器１の製造方法の一工程である物性値書込工程と物性値書込工程を経ているか否かの判別を行う検査工程の様子を示した模式図である。
【図２】検査工程を行う際のマイクロコンピュータ４にて実行される検査工程の詳細を示したフローチャートである。
【符号の説明】
【００２７】
１…電子機器、１ａ…メモリ、２…異常値書込装置、３…物性値書込装置、４…マイクロコンピュータ、５…警告ランプ
【図１】
2009258945.tif 000003
【図２】
2009258945.tif 000004